(57)【要約】【課題】泥状とされた焼却灰などのトラフの底面に付着し易い搬送材であっても、トラフに強固に付着することを防止でき、搬送材を効率よく搬送できるとともに、振動式コンベアのメンテナンス作業に掛かる労力と時間とを大幅に削減して、稼働率を向上することができる振動式コンベアを提供する。【解決手段】搬送方向に向けて延びる樋状に形成されたトラフ２と、トラフ２に振動を与える振動付与手段とを備えた振動式コンベアであって、トラフ２の底面には、エラストマからなるシート材２２が、搬送方向に直交する断面において中央部分が上側に凸となるアーチ状に張架されており、シート材２２の下側には、複数の隔壁２８によって形成された収容室２９が複数並列に設けられ、収容室２９の少なくとも一つには、前記振動手段による振動によって収容室２９内で跳動してシート材２２の下面を叩くタッピング部材３０が収容されていることを特徴とする。【選択図】図１
2008143643.tif 000002
【特許請求の範囲】
【請求項１】
搬送方向に向けて延びる樋状に形成されたトラフと、該トラフに振動を与える振動付与手段とを備えた振動式コンベアであって、
前記トラフの底面には、エラストマからなるシート材が、前記搬送方向に直交する断面において中央部分が上側に凸となるアーチ状に張架されており、
前記シート材の下側には、複数の隔壁によって形成された収容室が複数並列に設けられ、該収容室の少なくとも一つには、前記振動手段による振動に伴って前記収容室内で跳動して前記シート材の下面を叩くタッピング部材が収容されていることを特徴とする振動式コンベア。
【請求項２】
前記タッピング部材がボール材であることを特徴とする請求項１に記載の振動式コンベア。
【請求項３】
前記隔壁のうちの少なくともひとつが、前記搬送方向に交差する方向に延びるように配置されていることを特徴とする請求項２に記載の振動式コンベア。
【請求項４】
前記トラフには、前記シート材の張力を調整する張力調整機構が備えられたことを特徴とする請求項１から請求項３のいずれかに記載の振動式コンベア。
【発明の詳細な説明】
【技術分野】
【０００１】
本発明は、樋状のトラフを振動させることによってトラフ上に載置された搬送材を搬送する振動式コンベアに関する。
【背景技術】
【０００２】
振動式コンベアは、搬送方向に延びる樋状のトラフと、このトラフに振動を与える振動付与手段とを備えており、トラフを振動付与手段によって振動させて、トラフの上に載置された搬送材を搬送方向に向けて搬送するものである（特許文献１参照）。また、このトラフの底面に篩枠を設けて搬送材を篩に掛けながら搬送するものも提供されている（特許文献２参照）。
【０００３】
上記のような振動式コンベアに備えられた樋状のトラフは、主に鋼材などの金属で構成されたものが広く提供されている。
ところで、振動式コンベアによって搬送される搬送材の一例として、焼却炉で発生する焼却灰が挙げられる。焼却炉で発生する焼却灰には、冷却のため及び搬送中の飛散防止のために水が吹き付けられており、搬送される焼却灰は水分を２０％から３０％を含んだ泥状のものとされている。
【０００４】
水分を含んで泥状とされた焼却灰を金属製のトラフの上に載置した場合には、焼却灰がトラフの底面に強固に付着してしまい、トラフに振動を与えても焼却灰を搬送できなくなってしまうことがあった。また、トラフに搬送材が付着してトラフ自体の重量が増加すると、トラフを振動させるための動力が必要以上に大きくなり、エネルギーを無駄に消費してしまうといった問題があった。
さらに、トラフに付着した搬送材を除去するために、トラフの清掃を頻繁に行う必要があり、振動式コンベアのメンテナンス作業に多くの時間と労力を要するといった問題や、振動式コンベアの稼働率が低下するといった問題があった。
【０００５】
そこで搬送材の付着防止のため、トラフの底面にゴム板を水平に張架した振動式コンベアが提供されている。このような構成とされた振動式コンベアでは、トラフの底面に張架されたゴム板が振動付与手段による振動に伴って揺動するため、泥状の焼却灰などがトラフ底面に強固に付着する前に剥離することができるものである。
【特許文献１】特開平０７−３２８５５０号公報
【特許文献２】実開平０７−２５９７５号公報
【発明の開示】
【発明が解決しようとする課題】
【０００６】
しかしながら、上記のようにゴム板を水平に張架した振動式コンベアでは、振動付与手段による振動に伴ってゴム板が上下方向に大きく移動してばたつくことがあり、ゴム板の劣化が著しく、ゴム板の交換を頻繁に行う必要があった。このため、トラフの底面をゴム板にして搬送材の付着を防止したにもかかわらず、ゴム板交換などのメンテナンス作業が必要となり、振動式コンベアの稼働率が低下してしまうといった問題があった。
さらに、ゴム板全体が大きく上下に揺動するため、ゴム板に付着した搬送材を効率よく剥離できないといった問題があった。
【０００７】
本発明は、上述の事情に鑑みてなされたものであって、泥状とされた焼却灰などの付着し易い搬送材であっても、トラフに強固に付着することを防止でき、搬送材を効率よく搬送できるとともに、振動式コンベアのメンテナンス作業に掛かる労力と時間とを大幅に削減して、稼働率を向上することができる振動式コンベアを提供することを目的とする。
【課題を解決するための手段】
【０００８】
上記の目的を達成するために、この発明は以下の手段を提案している。
請求項１に係る発明は、搬送方向に向けて延びる樋状に形成されたトラフと、該トラフに振動を与える振動付与手段とを備えた振動式コンベアであって、前記トラフの底面には、エラストマからなるシート材が、前記搬送方向に直交する断面において中央部分が上側に凸となるアーチ状に張架されており、前記シート材の下側には、複数の隔壁によって形成された収容室が複数並列に設けられ、該収容室の少なくとも一つには、前記振動手段による振動に伴って前記収容室内で跳動して前記シート材の下面を叩くタッピング部材が収容されていることを特徴としている。
【０００９】
この構成の振動式コンベアでは、エラストマからなるシート材が、搬送方向に直交する断面において中央部分が上側に凸となるアーチ状に張架されており、シート材の上方への弾性変形量が抑制されているので、振動付与手段による振動に伴ってシート材が揺動する場合に、シート材が大きく上方に向けて移動することが防止される。
また、シート材の下側に設けられた収容室に、収容室内で跳動するタッピング部材が収容されているので、振動付与手段による振動に伴ってタッピング部材が収容室内で跳動してシート材を下側から叩くことになる。
【００１０】
請求項２に係る発明は、前記タッピング部材がボール材であることを特徴としている。
この構成の振動式コンベアでは、振動付与手段による振動によってボール材が収容室内で跳動し、シート材を下側から局所的に叩くことになる。
【００１１】
請求項３に係る発明は、前記隔壁のうちの少なくともひとつが、前記搬送方向に交差する方向に延びるように配置されていることを特徴としている。
この構成の振動式コンベアでは、隔壁が搬送方向に交差する方向に延びるように配置されているので、例えば搬送方向に沿ってトラフが傾斜している場合でも、タッピング部材とされたボール材が一箇所に偏ってしまうことがない。
【００１２】
請求項４に係る発明は、前記トラフには、前記シート材の張力を調整する張力調整機構が備えられたことを特徴としている。
この構成の振動式コンベアでは、張力調整機構によってシート材の張力を調整することにより、振動付与手段による振動に伴ってシート材が揺動する場合のシート材の上下方向の移動量が調整されることになる。つまり、張力を高くすることにより、シート材の弾性変形が抑制されてシート材の移動量が小さくなり、張力を低くすることにより、シート材が弛緩してシート材の移動量が大きくなるのである。
【発明の効果】
【００１３】
請求項１に係る発明によれば、振動付与手段による振動に伴ってシート材が揺動する場合にシート材が大きく上方に向けて移動することが防止されるので、シート材が大きくばたつくことがなく、シート材の早期劣化を抑えて寿命延長を図ることができる。したがって、シート材の交換頻度を少なくすることができ、振動式コンベアのメンテナンス作業に掛かる時間と労力を大幅に削減できる。そして、この振動式コンベアの稼働率を向上させることができる。
【００１４】
また、タッピング部材が収容室内で跳動してシート材を下側から叩くことになるので、シート材の上に付着した搬送材を簡単に剥離することができ、搬送材が強固に付着することを防止でき、トラフの清掃などのメンテナンス作業を軽減することができる。
【００１５】
さらに、振動付与手段による振動に伴ってタッピング部材が跳動するために、別途シート材を揺動したり叩いたりする手段を設けることなく搬送材の付着を防止できる。したがって、振動式コンベアの構成を簡単なものとすることができ、この振動式コンベアのメンテナンス作業を軽減することができる。
【００１６】
請求項２に係る発明によれば、ボール材によってシート材が局所的に叩かれるので、シート材全体が大きく揺動することがないとともに、シート材に付着した搬送材を効率よく剥離することができる。
また、請求項３に係る発明によれば、例えばトラフが傾斜するように配置されている場合でもタッピング部材としてのボール材が一箇所に偏ってしまうことがなく、シート材全体にわたって搬送材の付着を防止できる。
【００１７】
請求項４に係る発明によれば、シート材の張力を調整することにより、振動付与手段による振動に伴ってシート材が揺動する場合のシート材の上下方向の移動量が調整されるので、シート材の無用なばたつきをさらに確実に防止することができ、シート材の寿命延長を図ることができる。また、搬送材やシート材の材質を考慮して、好適な張力に調整することにより、搬送材の搬送や付着防止をさらに効率よく行うことができる。
【００１８】
このように、本発明によれば、泥状とされた焼却灰などの付着し易い搬送材であっても、トラフに強固に付着することを防止でき、搬送材を効率よく搬送できるとともに、振動式コンベアのメンテナンス作業に掛かる労力と時間とを大幅に削減して、稼働率を向上することができる振動式コンベアを提供することができる。
【発明を実施するための最良の形態】
【００１９】
本発明の実施形態について添付した図面を参照して説明する。図１から図４に本発明の実施形態である振動式コンベアの一例を示す。
振動式コンベア１は、図３及び図４に示すように、搬送方向Ｘに向けて延びる樋状をなすトラフ２と、トラフ２を収容する箱型のケーシング３と、トラフ２及びケーシング３を支持する振動台４とを有している。
【００２０】
振動台４は、基台５の上に制振バネ６を介して設置されている。振動台４にはモータ７が載置されており、このモータ７にベルトによって接続されたクランクプーリー８が備えられている。このクランクプーリー８には、一端側がケーシング３の側壁面に固定された振動伝達部材９の他端側が接続されている。そして、これら振動台４とモータ７とクランクプーリー８と振動伝達部材９とがケーシング３及びトラフ２に対して振動を与える振動付与手段１０を構成している。
【００２１】
この振動台４とケーシング３とは、複数（本実施形態では、図３に示すように４つ）の棒状の連結部材１１によって連結されており、連結部材１１の一端側とケーシング３とが第１係止部１２によって回転可能に係止され、連結部材１１の他端側と振動台４とが第２係止部１３によって回転可能に係止されている。そして、この連結部材１１の長手方向中央部は、振動台４の上面に設けられた回転支軸１４によって回転可能に支持されているのである。
また、連結部材１１と振動台４とは、一端がケーシング３に設けられた第１係止部１２に接続された傾斜バネ１５によって連結されている。
【００２２】
ケーシング３は、図３に示すように搬送方向Ｘに向けて延びるように形成されており、一端側から他端側に向けて漸次低くなるように傾斜して設けられている。ケーシング３の一端側の上面には、搬送材が投入される投入口３１が設けられており、ケーシング３の他端側には搬送材の排出口３２が設けられている。
【００２３】
ケーシング３の内部には、樋状をなすトラフ２が収容されている。このトラフ２は、例えば鋼材等で構成されたトラフ本体２１と、このトラフ本体２１の底面側に配置されたゴム板２２とを有している。このゴム板２２は、図１及び図２に示すように、トラフ本体２１の底面から上方に向けて立設されて搬送方向Ｘに沿うように延びる複数（本実施形態では３つ）の支持壁２３によって支持されている。図１に示すように搬送方向Ｘに直交する断面において中央部に位置する支持壁２３の高さが最も高くされており、ゴム板２２が、搬送方向Ｘに直交する断面において中央部分が上側に凸となるアーチ状に張架されているのである。
【００２４】
また、ゴム板２２の搬送方向Ｘに直交する断面における端部は、断面がＳ字状をなす掛止フック２４の一端にボルト止めされており、掛止フック２４の他端側がトラフ本体２１の側壁面の内面に当接させられている。また、この掛止フック２４とトラフ本体２１の側壁面とを挟持するように調整ボルト２５が備えられている。この掛止フック２４と調整ボルトとがゴム板２２の張力調整機構２６を構成している。
【００２５】
ゴム板２２の下側部分には、図２に示すように複数の仕切り壁２７が搬送方向Ｘに対して直交する方向に延びるように設けられ、仕切り壁２７と前記支持壁２３とが格子状に配置され断面矩形の収容室２９が形成されている。つまり、支持壁２３と仕切り壁２７とが収容室２９を形成する隔壁２８を構成しているのである。そして、この収容室２９は、ゴム板２３の下面全体にわたって設けられている。
これらの収容室２９には、収容室２９の内部で跳動するタッピングボール３０が複数収容されており、本実施形態では、図２に示すように、一つの収容室２９に４〜５個のタッピングボール３０が収容されている。
【００２６】
このように構成された振動式コンベア１の作用について説明する。
モータ７を回転させることにより、ベルトを介して接続されたクランクプーリー８が回転する。このクランクプーリー８の回転によってクランクプーリー８に他端側が接続された振動伝達部材９が揺動し、この揺動が振動伝達部材９の一端側が固定されているケーシング３に伝達されて、ケーシング３及びケーシング３内部に収容されたトラフ２に振動が付与される。ここで、傾斜バネ１５及び連結部材１１は、ケーシング３の動きを規制するガイドの役割をなしている。また、振動台４もケーシング３からの反力により振動することになるが、基台５と振動台４との間に設けられた制振バネ６によって振動台４の振動が基台５へ伝わることを防止している。
【００２７】
このように振動が付与されたケーシング３内に、ケーシング３の一端側に設けられた投入口３１から搬送材として水分を２０％から３０％含んだ焼却灰が投入され、トラフ２の底面に配置されたゴム板２２の上に焼却灰が載置される。この焼却灰はトラフ２の振動によって搬送方向Ｘに向けて搬送され、排出口３２からケーシング３外部への排出されるのである。
【００２８】
本実施形態に係る振動式コンベア１では、トラフ２の底面にゴム板２２が配置され、このゴム板２２の搬送方向Ｘに直交する断面における中央部分が上側に凸となるようにアーチ状に張架されているので、振動によってゴム板２２が上方に向けて過度に移動することがない。さらに、本実施形態ではゴム板２２が支持壁２３によって下側から支持されているので、振動によってゴム板２２が下方に向けて過度に移動することもない。
よって、ゴム板２２が無用にばたつくことがなくなり、ゴム板２２の寿命延長を図ることができる。
【００２９】
また、ゴム板２２の下側に複数の収容室２９が設けられ、この収容室２９の中に複数のタッピングボール３０が備えられているので、振動付与手段１０による振動によってタッピングボール３０が収容室２９内で跳動し、ゴム板２２を下側から叩くことになる。したがって、ゴム板２２の上に載置された水分を多く含む焼却灰がゴム板２２に強固に付着することを防止して、焼却灰の搬送を効率的に行うことができる。また、搬送材の付着によるトラフ２の重量増加を防止でき、振動付与する際に必要な動力を少なくすることができる。
【００３０】
また、タッピングボール３０は振動付与手段１０による振動によって、収容室２９内を跳動してゴム板２２を叩くことになるので、ゴム板２２を叩くための駆動手段等を別途設ける必要がなく、この振動式コンベア１を簡単な構成とすることができる。
また、ゴム板２２への付着が防止されてゴム板２２を頻繁に清掃する必要がなくなるとともに、振動式コンベア１が簡単な構成とされているので、この振動式コンベア１のメンテナンス作業に掛かる労力と時間とを大幅に削減することができる。
【００３１】
また、タッピングボール３０によってゴム板２２を局所的に叩くことができるので、ゴム板２３に付着した搬送材を効率良く剥離するとともに、ゴム板２２全体が大きくばたつくことを防止できる。
また、仕切り壁２７が搬送方向に直交する方向に延びるように設けられ、収容室２９がゴム板２２の下面全体にわたって形成されているので、トラフ２が傾斜するように配置されていてもタッピングボール３０が一箇所に偏ってしまうことがなく、ゴム板２２の下面全体を叩くことができる。
また、ゴム板２２の搬送方向と直交する方向における張力を調整する張力調整機構２６が備えられているので、調整ボルト２５によってゴム板２２の張力を調整してゴム板２２の上方への移動量を調整でき、搬送材を効率よく搬送することができる。
【００３２】
このように、本実施例に係る振動式コンベア１によれば、メンテナンスが容易であるとともに、水分を多く含む焼却灰のように付着し易い搬送材であっても効率よく搬送することができる。
【００３３】
以上、本実施形態について説明したが、本発明はこれに限定されることはなく、その発明の技術的思想を逸脱しない範囲で適宜変更可能である。
例えば、本実施形態では、水分を含む焼却灰を搬送する振動式コンベアとして説明したが、他の搬送材を搬送するものであってもよい。
また、タッピング部材をタッピングボールとして説明したが、他の形状であっても良く、立方体形状や板状のものであってもよい。
【図面の簡単な説明】
【００３４】
【図１】本発明の実施形態である振動式コンベアのトラフ部分の断面図である。
【図２】図１のトラフ本体の下側に設けられた収容室部分の上面図である。
【図３】本発明の実施形態である振動式コンベアの側面図である。
【図４】図３の正面部分断面図である。
【符号の説明】
【００３５】
１  振動式コンベア
２  トラフ
１０  振動付与手段
２２  ゴム板（シート材）
２３  支持壁
２６  張力調整機構  
２７  仕切り壁
２８  隔壁
２９  収容室
３０  タッピングボール（タッピング部材）
【図１】
2008143643.tif 000003
【図２】
2008143643.tif 000004
【図３】
2008143643.tif 000005
【図４】
2008143643.tif 000006